(57)【要約】【課題】開閉器の開閉操作に伴って操作用リンク機構の関節部に嵌挿した連結ピンの留め具に加わる衝撃，振動を緩和し、耐久性，信頼性の向上を図る。【解決手段】電流しゃ断部の可動電極と開閉操作部との間を連繋する操作用リンク機構で、そのリンク機構を構築する軸５／連結金具１１間の関節部に頭付き連結ピン１０を通してヒンジ結合したものにおいて、関節部を貫通して側方に突き出した連結ピン１０の先端部に圧縮コイルばね１７を２枚のワッシャ１４と組合せて嵌挿した上で、連結ピンの先端に形成した周溝に留め具としてのクリップ１３を圧入して連結ピンを抜け止め支持する。この構成により、圧縮コイルばね１７が連結ピン１０の動きを規制するとともに、緩衝ばねとして開閉器の開閉操作に伴いリンク機構の関節部に加わる衝撃，振動を緩和し、クリップ１３が早期に疲労破壊するのを防止して耐久性，信頼性を高めることができる。【選択図】      図１
2004311053.tif 000002
【特許請求の範囲】
【請求項１】
電流しゃ断部の可動電極と開閉操作部との間を連繋する操作用リンク機構であり、該リンク機構を構築する軸とレバー，あるいは軸と軸との関節部に頭付き連結ピンを通してヒンジ結合したものにおいて、
関節部より突き出した連結ピンの先端部にワッシャと組合せて圧縮コイルばねを嵌挿した上で、留め具を介して抜け止め支持したことを特徴とする開閉器の操作用リンク機構。
【請求項２】
請求項１記載の操作用リンク機構において、留め具が連結ピンの軸端に形成した周溝に係止したクリップであることを特徴とする開閉器の操作用リンク機構。
【請求項３】
請求項１記載の操作用リンク機構において、留め具が連結ピンの軸端の穴に通した割りピンもしくは留めピンであることを特徴とする開閉器の操作用リンク機構。
【発明の詳細な説明】
【０００１】
【発明の属する技術分野】
本発明は、真空しゃ断器などを実施対象とする開閉器の操作用リンク機構、詳しくはリンク機構を構築する軸とレバー，あるいは軸と軸との間の関節部に通した連結ピンの支持構造に関する。
【０００２】
【従来の技術】
頭記した真空しゃ断器の開閉操作機構を図３に示すようなリンク機構で構成したものが知られている（例えば、特許文献１参照。）。
図３において、１は消弧室内に固定接点２と可動接点３を内装した真空バルブ（電流しゃ断部）、４は真空バルブ１より引き出した固定電極軸２ａおよび可動電極軸３ａに接続した端子導体、５は可動電極軸３ａに連結した絶縁連結軸であり、該連結軸５は、軸受７に軸支した変換レバー７，該変換レバー７に連結した操作ロッド８を介して操作部９に連繋されている。なお、８ａは変換レバー７と操作ロッド８との間に介装したワイプばね、９ａは変換レバー、９ｂは加速ばね（引っ張りばね）、９ｃは引外しラッチ、９ｄは引外しコイルである。
【０００３】
かかる構成で、操作部９の引外しコイル９ｄに開極信号を与えると、引外しコイル９ｄのソレノイド操作によりラッチ９ｃと変換レバー９ａとの係合が外れ、加速ばね９ｂのばね力により変換レバー９ａ，操作ロッド８，変換レバー７を介して絶縁連結軸５が開極方向に急速駆動され、これにより可動接点３が開極動作する。なお、図中には示してないが、絶縁連結軸５の軸上には電磁コイル式の反発装置を装備し、開極信号で作動する電磁コイルの電磁力で連結軸５を開極方向に駆動するようにしている。
また、前記連結軸５と変換レバー７との間を連結する関節部，および可動電極軸３ａと絶縁連結軸５との間を連結する関節部の構造について、従来では図４（ａ）  〜（ｃ）  で示すように互いに連結する部材に連結ピン１０を通してヒンジ結合するようにしている。なお、図中で１１は軸３ａの軸端にボルト１２を介して固定したＵ字形の連結金具であり、連結ピン１０は連結金具１１と軸５に通して両者間をヒンジ結合している。
【０００４】
ここで、図４（ｃ）  に示した軸３ａと５との間の関節部を例に、連結ピン１０が関節部から抜け落ちるのを防止する従来の抜け止め支持構造を図５，図６，図７に示す。
すなわち、図５（ａ）  〜（ｃ）  に示した支持構造では、連結ピン１０をその一端に頭部１０ａを形成した頭付きピンとして他端の軸端に周溝１０ｂを形成し、連結ピン１０を軸５と連結金具１１の穴に通した上で、連結金具１１を貫通して側方に突き出した軸端の周溝１０ｂに留め具としてクリップ１３を圧入して連結ピン１０を抜け止め支持するようにしている。
【０００５】
また、図６（ａ）  〜（ｃ）  の構造では、頭部１０ａ付き連結ピン１０の先端側に軸部を半径方向に貫通する穴１０ｃを穿孔しておき、図示のように連結ピン１０を軸５と連結金具１１に通した上で、側方に突き出した連結ピン１０の軸端にワッシャ１４を嵌挿した上で留めピン１５を穴１０ｃに挿入し、その両端を折り曲げて連結ピン１０を抜け止め支持するようにしている。
さらに、図７（ａ）  〜（ｃ）  の構造では、図６に示した留めピン１５の代わりに割りピン１６を用いて抜け止め支持している。
【０００６】
【特許文献１】
特開平８−３２９７９９号公報（図１）
【０００７】
【発明が解決しようとする課題】
ところで、開閉器の操作用リンク機構に採用されている従来の連結ピン抜け止め支持構造は、実使用面での耐久性，信頼性に問題がある。
すなわち、図４に示したリンク機構の関節部では、開閉器の開閉操作に応動する軸３ａ，５の動きは図示矢印Ｐであり、この動きに対しては連結ピン１０が抜けることはない。しかしながら、実際の開閉操作によりリンク機構の関節部には前記矢印Ｐ方向の動きと同時に矢印Ｑ方向にも衝撃，振動が加わる。この場合に、前記した従来の抜け止め支持構造では連結ピン１０に係止した留め具と連結金具１１の端面との間には多少のガタ（遊び間隙）があって連結ピンはその軸方向へ自由に動き得ることから、前記の開閉操作に伴う衝撃，振動によって留め具に衝突荷重が繰り返し加わるようになる。このために、高い開閉頻度で開閉器を繰り返し開閉操作すると、連結ピン１０を抜け止め支持しているクリップ１３，留めピン１５，割りピン１６が早期に疲労限界を超えて破断し、その結果、連結ピン１０が関節部から脱落して開閉器の開閉操作が不能になるといった重大トラブルを引き起こすおそれがある。
【０００８】
本発明は上記の点に鑑みなされたものであり、その目的は前記課題を解決し、開閉器の開閉操作に伴ってその操作用リンク機構の関節部に通した連結ピンの留め具に加わる衝撃，振動を緩和して高い耐久性，信頼性が図れるようにその抜け止め支持構造を改良した開閉器の操作用リンク機構を提供することにある。
【０００９】
【課題を解決するための手段】
上記目的を達成するために、本発明によれば、電流しゃ断部の可動電極と開閉操作部との間を連繋する操作用リンク機構であり、該リンク機構を構築する軸とレバー，あるいは軸と軸との関節部に頭付き連結ピンを通してヒンジ結合したものにおいて、
関節部を貫通して側方に突き出した連結ピンの先端部にワッシャと組合せて圧縮コイルばねを嵌挿した上で、留め具を介して抜け止め支持する（請求項１）ものとし、その実施態様として前記留め具には、連結ピンの軸端に形成した周溝に圧入したクリップ（請求項２），あるいは連結ピンの軸端の穴に通した割りピンもしくは留めピン（請求項３）を採用して構成する。
【００１０】
上記構成によれば、操作用リンク機構の関節部に通した連結ピンの軸方向の動きが圧縮コイルばねのばね力によって規制されるとともに、この圧縮コイルばね自身が緩衝ばねとして機能する。これにより、開閉器の開閉操作に伴ってリンク機構の関節部に加わる衝撃，振動が圧縮コイルばねで緩衝され、また連結ピンを抜け止め支持している留め具がガタついて衝突することもなくなる。その結果、開閉器を繰り返し開閉操作しても留め具が早期に疲労破壊するおそれがなくなって高い耐久性と信頼性を確保できる。
【００１１】
【発明の実施の形態】
以下、本発明の実施の形態を図１，図２に示す実施例に基づいて説明する。なお、各実施例の図中で図５〜図７に対応する同一部材には同じ符号を付してその説明は省略する。
〔実施例１〕
図１（ａ），（ｂ）  は本発明の請求項１，２に対応する実施例を示すものである。この実施例においては、軸５と連結金具１１に跨がって操作用リンク機構の関節部に通した頭付き連結ピン１０に対し、連結金具１１を貫通して側方に突き出したピンの軸部には、圧縮コイルばね１７を２枚のワッシャ１４の間に挟んで嵌挿した上で、図５で述べたと同様に連結ピン１０の軸端に形成した周溝に留め具としてのクリップ１３を圧入して連結ピン１０を抜け止め支持している。
【００１２】
この構成によれば、連結ピン１０は圧縮コイルばね１７のばね力を受けて軸方向の動きが規制されてクリップ１３がガタつくことがなく、同時に圧縮コイルばね１７が緩衝ばねとして機能する。これにより、開閉器の開閉操作に伴い操作用リンク機構の関節部に衝撃，振動が加わっても、クリップ１３に作用する荷重が緩和されので、その分だけ疲労破壊に至るまでの寿命が伸びて操作用リンク機構の信頼性，耐久性が向上する。
〔実施例２〕
図２（ａ），（ｂ）  は本発明の請求項３に対応する実施例を示すものである。この実施例では、先記実施例１と同様に連結ピン１０の軸部にワッシャ１４と組合せて圧縮コイルばね１７を介挿した上で、その留め具としてクリップ１３の代わりに図７で述べた割りピン１６を採用しており、この構造においても図１と同等な効果が得られる。なお、連結ピン１０の抜け止め用留め具としては、図示の割りピン１６に代えて図６に示した留めピン１５を採用することもできる。
【００１３】
また、前記した各実施例の抜け止め支持構造による効果を評価確認するために発明者等が行った実機での開閉操作テストによれば、開閉器を１万回繰り返し開閉操作しても、連結ピン１０の留め具であるクリップ１３，留めピン１５，割りピン１６の疲労破壊が見られず、従来構造と比べて耐久性，信頼性を大幅に改善できることが確認されている。
【００１４】
【発明の効果】
以上述べたように、本発明によれば、電流しゃ断部の可動電極と開閉操作部との間を連繋する操作用リンク機構であり、該リンク機構を構築する軸とレバー，あるいは軸と軸との関節部に頭付き連結ピンを通してヒンジ結合したものにおいて、前記関節部より突き出した連結ピンの先端部にワッシャと組合せて圧縮コイルばねを嵌挿した上で、クリップ，割りピン，留めピンなどの留め具を介して抜け止め支持したことにより、
開閉器を高い頻度で繰り返し開閉操作しても留め具が早期に疲労破壊することがなく、これにより操作用リンク機構の耐久性，信頼性を大幅に改善できた。
【図面の簡単な説明】
【図１】本発明の実施例１に対応する操作用リンク機構の関節部の構成図で、（ａ）  は正面図，（ｂ）  は連結ピンの端面図
【図２】本発明の実施例２に対応する操作用リンク機構の関節部の構成図で、（ａ）  は正面図，（ｂ）  は連結ピンの端面図
【図３】本発明の実施対象となる真空しゃ断器の概要構成図
【図４】図３における操作用リンク機構の関節部の基本構成図で、（ａ）  は軸とレバーの関節部の側面図、（ｂ）  は（ａ）  の上面図、（ｃ）  は軸と軸の関節部の正面図
【図５】図４（ｃ）  に対応する従来例の連結ピン抜け止め支持構造を表す図で、（ａ）  は正面図、（ｂ）  は連結ピンの端面図、（ｃ）  は連結ピンの側面図
【図６】図５と異なる従来例の連結ピン抜け止め支持構造を表す図で、（ａ）  は正面図、（ｂ）  は連結ピンの端面図、（ｃ）  は連結ピンの側面図
【図７】図５とさらに異なる従来例の連結ピン抜け止め支持構造を表す図で、（ａ）  は正面図、（ｂ）  は連結ピンの端面図、（ｃ）  は連結ピンの側面図
【符号の説明】
１    開閉器の電流しゃ断部
２    固定接点
３    可動接点
３ａ  可動電極
５    絶縁連結軸
７    変換レバー
９    開閉操作部
１０    連結ピン
１０ａ  頭部
１０ｂ  周溝
１０ｃ  留めピン穴
１１    連結金具
１３    クリップ（抜け止め用留め具）
１４    ワッシャ
１５    留めピン（抜け止め用留め具）
１９    割りピン（抜け止め用留め具）
【図１】
2004311053.tif 000003
【図２】
2004311053.tif 000004
【図３】
2004311053.tif 000005
【図４】
2004311053.tif 000006
【図５】
2004311053.tif 000007
【図６】
2004311053.tif 000008
【図７】
2004311053.tif 000009